(57)【要約】【課題】ソフトの宣伝力、またはアピール力の不足を解消するように、パッケージデザインの面を拡張したソフトやソフト入りケース、または宣伝チラシなどを収納するボックスを提供する。【解決手段】主にＤＶＤ方式、ＶＨＳ方式のソフトまたはケースを取り出し自在な、空洞を有する収納部(ふた部)を、相互に開閉自在に対面連接してなるボックスであって、その収納部の閉じた時に相互に向かい合う面上にパッケージデザインを施すことにより、該パッケージデザインが閉じた状態では見ることができないように構成されて、パッケージデザインが増加されたものであり、パッケージシートも挿し出し可能であり、補助収納部も装着可能にしたものである。【選択図】  図１
0003122250.tif 000002
【実用新案登録請求の範囲】
【請求項１】
ソフト、ソフト入りケース、宣伝チラシなどを挿入取り出し自在な、空洞を有する収納部を、相互に開閉自在に対面連接し構成、もしくはひとつ以上のふた部とひとつ以上の該収納部で構成し、それらの収納部、ふた部とが相互に開閉自在に対面連接し、閉じた時に相互に向かい合う面上にパッケージデザインを施すことにより、該パッケージデザインが閉じた状態では見ることができない特徴の、ソフト、ソフト入りケース、または宣伝チラシなどの収納用ボックス。
【請求項２】
上面開口から、DVDケース、VHSケースなどのソフトケースの上部を突出すべく挿入できる複数の収納部で構成、もしくはひとつ以上のふた部とひとつ以上の該収納部で構成し、それらの収納部、ふた部とが相互に開閉自在に対面連接し、閉じた時に相互に向かい合う面上にパッケージデザインを施すことにより、該パッケージデザインが閉じた状態では見ることができないことを特徴とする、パッケージデザインの展示を目的とする、DVDケース及びVHSケースなどソフトケースの収納用ボックス。
【請求項３】
収納部、及びふた部の面において、パッケージデザインを施したシートを挿し出し可能に設けたことを特徴とする、請求項１または請求項２記載の収納用ボックス。
【請求項４】
補助収納部が収納部と収納部の間、もしくはふた部と収納部の間に、着脱自在に組み込むことができることを特徴とする請求項１、請求項２または請求項３記載の収納用ボックス。
【考案の詳細な説明】
【技術分野】
【０００１】
本考案は、ソフト、ソフトケース、宣伝チラシなどを収納するボックスに関する。
【背景技術】
【０００２】
従来の技術において、収められているソフト内容の展示を目的とし、その内容に複数の隔壁を授け区画されている、レンタルビデオ店におけるソフト展示用パッケージ（本考案の呼称では、パッケージ展示用のケースボックスと表している。）がある。その例として特開２００４−１６１３５７に開示されている。だが、このパッケージ展示用のケースボックスは、見開きの形状にはできず、もちろんその内面にパッケージデザインの仕様を施すことはできない。
【０００３】
本考案は主として、レンタル店で使用している映画、ドラマ、アダルト、などのパッケージ展示用のソフトケースボックス（以下、パッケージ展示用のソフトケースボックスをケースボックスと略称。）、及びソフト購入店（以下、ソフト購入店をセル店と略称）での購入用の映画、ドラマ、アダルトなどのソフトケースに主観をおいた改良である。しかし、前者のケースボックス（DVDソフトもしくはVHSソフトにおいての、ケースボックス）は、後者のソフトケース（DVDソフトもしくはVHSソフトにおいての、ソフトケース）とでは、ほとんど外観が変わらず、その上ソフトを収納する点において同様の機能を果たす。それはそのはず、ソフトケースが変形した物が、私が称したケースボックスなのだから。そこで、ケースボックスとソフトケースの違いをはっきりさせるため、ケースボックスの構造、機能、使用方法について以下に言及する。
【０００４】
一般のケースボックスとは、図１３においての上面が開口の４００である。（現在、映画ソフトやドラマソフトなどを扱うレンタル店において使用しているケースボックスは、DVDソフトケースを収納するケースボックスとVHSソフトケースを収納するケースボックスの２種類に分かれる。尚、図１３においてのケースボックス４００は、DVDソフトケースの収納仕様のケースボックスである。）そこで、まずケースボックスの内部構造について説明する。図１３のケースボックス４００の内部構造の斜視図が、図１１である。左側の面６１には、ケースボックス本体の厚みより若干短めな寸法の突起６２、６４、が平行に下段左右に授けられている。また左右の両面６１、６６、の上面部は、ほぼ筒抜け状態である。そして、左側の面と右側の面が重なり合い、図１３においての上面が開口状態のケースボックス４００になるのだが、その内部では左右の突起６２、６４、の上面６３、６５、が棚部の役割を果たし、ケース１ａの上部が突出して収納できる。
【０００５】
また、ケースボックスの使用方法についてだが、主にレンタル店で扱われ、当該ソフトケースを収納するために使用している。具体的に説明すると、まず、図１３において貸し出し専用のケース１ａに当該ソフト６８を収納する。その上で、ケースボックス４００に収納し、レンタル店の陳列棚に置かれる。尚、前出のケースボックス内部の突起６２、６４、によって、ケース１ａの上部が突出した状態である。一方ユーザーは、様々なケースボックスの面に施してあるパッケージデザインを見て、好きな作品を取捨選択した上で、当該ソフトを収納してある貸し出し専用のケースを引き抜く。そして、会計に持っていく。無論、その時ケースボックスにおいては、その場の陳列棚に置かれた状態を保つ。
【０００６】
したがって、本考案で定義するケースボックスは、ソフトケースを収納するためのボックスとしての機能を果たし、尚且つ、パッケージを展示する役割も司る。そして、ケースボックスとソフトケースでは、構造、機能、使用方法、に差異がある。
【０００７】
ところで、一般の、ケースボックス及びソフトケースの内面において、パッケージデザインを施せる仕様を施していない。また、一般のケースボックスにおいては、開閉できる仕様すら施していない。
【考案の開示】
【考案が解決しようとする課題】
【０００８】
しかし、これでは当該ソフトの宣伝力、またはアピール力が不足する。ゆえに、この問題点を解決するために、以下の３つの課題を提議する。第一に、パッケージデザインを施せる面積を拡張することを課題とする。第二に、隠している物は見たい、という人間の心理に基づき、その観点をケースボックス、及びソフトケースの設計に反映することを課題とする。第三に、当該ソフト、及びソフトケースを入れる容器以外に、他の機能を備えることを課題とする。
【課題を解決するための手段】
【０００９】
本考案のソフトケース収納用ボックス、及びソフトケースは、ひとつ以上のふた部と、ソフト、ソフト入りケース、宣伝チラシなどを取り出し自在な、空洞を有する少なくとも２つ以上の収納部で構成され、（尚、ソフトケース収納用ボックスにおいては、上面に開口を授け、ソフトケースの上部を突出すべく挿入できるようにした。）それらの収納部、ふた部などが相互に開閉自在に対面連接し、閉じた時に相互に向かい合う面上にパッケージデザインを施すことにより、該パッケージデザインが閉じた状態では見ることができないようになる。また、収納部、及びふた部の面において、パッケージデザインを施したシートなどを挿し出し可能にでき、他の実施形態においては、連接している収納部やふた部などの間に補助収納部も組み入れを可能にした。
【考案の効果】
【００１０】
本考案の開閉技術により、図１においてパッケージデザインを施せる、及び見ることができる面６、８、が創出した。ゆえに、パッケージデザインが施せる面積が拡張したため、従来のケースボックス及びソフトケースより当該ソフトの内容をダイナミックに表現できる。また、図１のように見開きの状態でケースボックス及びソフトケースを、セル店またはレンタル店などで展示するのならば、他の作品より大きくスペースを使うため、一段とアピール力が増し、また他作品との違いを鮮明にできる。
【００１１】
また、図１においての第一収納部３ａとふた部３´が開閉自在なため、パッケージデザインが施してある面６、８、（創出した面）が重なり合い、図３の閉じた形状にできる。ゆえに、外観からでは面６、８、は、見ることができないため、隠している物は見たい、という人間の心理を刺激することができる。
【００１２】
図５において、ケースボックス２００は、挿入口を有する収納部３ａと、同じ構造の収納部３ｂで構成している。ゆえに、ケースボックス２００はソフト入りケースを少なくとも２枚以上同時に挿入できるとどうじに、二つの用途の違うソフトを分類するにも容易である。
【考案を実施するための最良の形態】
【００１３】
まず、最良形態を説明する前に、以後ケースボックスの説明に終始したことについて言及する。前出のとおり、本考案は主としてケースボックスとソフトケースの２点を対象にした改良である。だが、本考案の技術においてケースボックスもソフトケースも、ほとんど効果、利点については重なる。ただ、ケースボックスは上面が開口なため、その点言及を要する。すなわち、本考案のケースボックスを説明したのならば、ほとんどの範疇本考案のソフトケースの説明も補える。ゆえに以後、ケースボックスの説明に終始した。
【００１４】
尚、以下の説明は、現段階のレンタル店及びセル店での環境を踏まえ、主としてDVDソフト仕様、もしくはVHSソフト仕様のケースボックスと想定した。が、そのためDVDソフトとVHSソフトでは両者体積が異なるため（DVDソフトを収納しているケースによっても、体積が異なる）、本ケースボックスのサイズはアバウトになってしまった。無論、収納する当該ソフトがDVDソフト（DVDソフトを収納している大きさ）、あるいはVHSソフトならば、その体積に合致させるのは言うまでもない。また、一般のケースボックスはレンタル店での仕様が一般的だが、本ケースボックスはレンタル店の使用は無論、セル店での活用も視野に入れている。さて、本考案の好ましい実施の形態につき、添付図面を参照して詳細に以後説明する。
【００１５】
図１においてケースボックス１００は、本考案の技術により見開きにした形状である。そこで、ケースボックス１００の構造、機能、使用方法、効果及び活用方法を説明する。
【００１６】
まず、図１においてケースボックス１００は、上面部からソフト入りケース１の上部を突出し挿入取り出し可能にするために空洞にしてある収納部３ａと、ふた部３´とを各々、面１１に装着した仕組みである。(収納部３ａとふた部３´とを左右入れ替えても構造において支障はない。)収納部３ａの内部構造は、ケース１の上部を突出し挿入取り出し可能にするために、約３分の２ぐらい半空洞にした構造である。尚、図１１において従来のケースボックスの突起６２，６４、を、同様に収納部３ａ内部の同じ位置に授けてもよい。そして、一般的なレンタル店で見られる仕様と同じく、上部が突出したソフト入りケース１（一般のレンタル店では、直にソフトを収納していない。図１３において、パッケージデザインが施されていない貸し出し専用ケース１ａに当該ソフト６８を収納し、その上でパッケージデザインが施されているケースボック４００に収納している。一方ユーザーは、その貸し出し専用ケース１ａを引き抜きレンタルする。）を、挿入取り出す場合においては、収納部３ａの上面部から出し入れを行う。そして、本技術によるところの、その空洞を有する収納部３ａとふた部３´が、半円を描くように作動できるため、図１の見開きの形状から図３の閉じた形状に、またはその反対の図３の閉じた形状から図１の見開きの形状に、このケースボックスは形状が変化できる。尚、図３のようにこの閉じた形状に固定するためには、図１の内面において、収納部３ａの上方側に装着している磁石２と、ふた部３´においての上方側に装着している磁石１０が対面で結合し、同じく収納部３ａにおいての下方側に装着している磁石４と、ふた部３´においての下方側に装着している磁石９が対面で結合し、なしえる。
【００１７】
したがって、空洞を有する収納部３ａとふた部３´が、本を開くように図１の見開きの状態にできるため、面６、８、が創出することになる。もちろん、図１１において一般的なケースボックスを見開きの形状にしたとしても、内側に存在しない面である。（尚、一般的なケースボックスでは、このような見開きの形状にはできない仕組みになっている。）結果、パッケージデザインが施せる及び見ることができる面６、８、が生まれた。ゆえに、この拡張した面を活用して、当該ソフトの内容をダイナミックに表現、及び一文字一文字が大きくできるため、従来のケースボックスよりパッケージデザインによる宣伝媒体力がアップする。また、この図１の見開きの状態のままで、レンタル店などの陳列棚に展示するのならば、他作品より多くのスペースを取るため、他の作品との違いを図ることもできる。例えば、注目して貰いたい作品などを、この見開きの状態で陳列するのならば、その目的に叶うであろう。
【００１８】
また、本技術により開閉自在にできるため、図３のように閉じた形状にもできる。この閉じた形状からでは創出した面６、８、のパッケージに、何が描かれているか開いて見なければ分からない。ゆえに、隠している物は見たい、という人間の心理を刺激することができる。したがって、一般的なケースボックスより本ケースボックスの方が、思わず手に取って見たくなる可能性が高くなる。
【００１９】
また、隠せる効果を活用して、こんな使用方法もある。もし、本ケースボックスが商品化されセル店などで陳列するならば、一般的なソフトケースの形状と同様、閉まった形状で陳列棚に立て並べられるであろう。無論、閉まった形状からでは、内面６、８、に何が描かれているか分からない。そこでたとえば、この内面６、８、でしか見ることができない人気アイドルの笑顔をパッケージデザインにしたとしよう。特にこのアイドルファンならば、この内面に何が描かれているのだろうか、と好奇心に誘発され、一度は開いて見たくなるのがファン心理であろう。したがって、こんな仕様を施すのならば、隠せる効果を十分に発揮できる。尚、本考案の開閉できる技術により新たな面が創出し、またその面を隠せることにおいての諸々の効果は、本考案のソフトケースにおいても同様なことが言える。
【００２０】
図５のケースボックス２００は、本考案の技術により見開きにした形状である。そこで、このケースボックス２００の構造、機能、使用方法、効果及び活用方法を説明する。尚、ケースボックス１００の構造、機能、使用方法、効果及び活用方法において重なる点においては、割愛する。
【００２１】
ケースボックス２００の特色する構造は、上面部から、ソフト入りケースの上部を突出し挿入取り出し可能に施してある第一収納部３ａ、同様な構造の第二収納部３ｂが各々、面１１に装着した仕組みである。すなわち、図１においてケースボックス１００のふた部３´が、第二収納部３ｂに入れ替えた構造である。ゆえに、２つの収納部が存在するために、図１３においての一般的なレンタル店で使用している貸し出し専用のソフトケース１ａならば、少なくとも２枚収納可能である。また、図５の仕様のように、図１２においてＤＶＤソフトにフィットした薄型ケース５００ならば、両左右の収納部３ａ、３ｂ、に多くの枚数が収納できるであろう。そして、ユーザーの使用方法ついては、レンタル店は無論セル店においても、薄型ケース５００を引き抜き購入する形をとる。(現在、一般的なセル店では、当該ソフトが入ったパッケージデザインが施されたケース本体も、ユーザーは購入する仕組みである。)そこで、この点を踏まえ２点効果を説明する。
【００２２】
第一の効果は、図１２の薄型ケース５００の欠点であるタイトル面６７の面積を、このケースボックスを使用することで拡張できる点である。映画やドラマなどのＤＶＤソフトの大きさにフィットした薄型ケース５００が、世の中に普及しない原因は、横幅が狭いタイトル面６７が主な要因だと思われる。なぜなら、薄型ケースが、タイトル面（背表紙）を全面に陳列棚に何十枚も横並べられたのならば誠に見難いため、その棚の中からお目当てのソフトを探すのは至難の業である。そこで、薄型ケース５００をこのケースボックス２００に挿入して陳列するのならば、タイトル面が拡張することになり、容易にお目当てのソフト選び出すことができる。したがって、本ケースボックスは、薄型ケースのタイトル面を補うことができる。
【００２３】
第二の効果は、第一収納部３ａ、第二収納部３ｂにおいての２つの収納部が存在することにより、用途の違うソフトを区分するのに便利である点だ。そのため、ピンポイントでレンタル見込み者、または購入見込み者に当該ソフトのプロモーションソフトを提供できる。無論、第一収納部３ａか第二収納部３ｂのどちらか一方に、当該ソフトのプロモーションソフトが挿入できるため、当該のソフトに興味を持ち手にした人に、そのプロモーションを提供できるからである。だが、図１３において、従来のケースボックス４００では、挿入口６９がひとつしかないため、その目的の用途に合致した当該ソフトしか収納し難い。ゆえに、このような仕様は難しい。
【００２４】
図６においてケースボックス３００は、本考案の技術により見開きにした形状である。このケースボックス３００において構造、機能、使用方法、効果、及び活用方法について説明する。尚、ケースボックス１００、２００において構造、機能、使用方法、効果及び活用方法について、重なる点については割愛する。
【００２５】
図６においてケースボックス３００の構造は、上面部から、ソフト入りケースの上部を突出し挿入取り出し可能に施してある第一収納部３ａ´と、同様な構造の第二収納部３ｂ´が面４５の左右に装着し、閉じた形状においては、両収納部３ａ´、３ｂ´の間に、挟むようにして図９の収納部３ｃを組み入れることができる仕組みである。基本的に、図１のケースボックス１００において、収納部３ａとふた部３´を接続する面１１が、図６のケースボックス３００において２つの収納部を連接する面４５に入れ替えた構造である。そして、ケースボックス３００において、左側、上下段に取り付けられている突起３１、３３、が、対応する右側、上下段に取り付けられている中心が空洞の凹部４１、４０、に嵌合して、閉じた形状に固定できる。
【００２６】
そして、図６においてパッケージデザインを印刷したシート２９、４３、及び反対面である図７において、パッケージデザインを印刷したシート(以後、パッケージデザインを印刷したシートをパッケージシートと略称)４６を、挿し出し可能な仕組みについて説明する。尚、パッケージシートを差し替えできる仕組みを施す目的は、例えば旧作のパッケージシートから、新作のパッケージシートに差し替えることが可能になるため、新作ケースボックスの仕様に変容できるからである。
【００２７】
まず、図７においてケースボックスは、図６の反対面であり、且つ弓なりにした形状である。その点を踏まえ、表面、タイトル面、裏面を印刷した一枚のパッケージシート４６(一般的なケースボックスのパッケージシートも、このように表面、タイトル面、裏面、を印刷した一枚のシートである。)を挿入取り出し可能にする仕組みについて説明する。図７において、ケースボックスの本体４７と、表面、タイトル面、裏面、の面積のサイズにほぼ合致した透明な素材５０を、両左右先端(左先端とは、左上先端４８から下方向に左下先端４９まで、右先端とは、右上先端５２から下方向に右下先端５１まで。)にかけて接着した構造である。そして、図７の弓なりの形状にすれば、本体４７と透明な素材５０の間に大きな空洞が生まれ、表面、タイトル面、裏面のパッケージシート４６が挿し出し可能になる。尚、スタンダードなＤＶＤケースボックス及びＶＨＳケースボックスも、この点に関しては同様な構造である。
【００２８】
そして、図６のケースボックス３００の左側内面、及び右側内面に装着している、表面プラスチック加工を施したパッケージシート２９、４３、が、挿し出し可能になる仕組みについて説明する。まず、第一収納部３ａ´、及び第二収納部３ｂ´の内面において、上段部分を除く縁部には、それぞれ透明なＬ型の爪３０、３２、３４、３５、３６、４４、３７、３８、３９、４２、を各々五つずつ設けて、パッケージシート２９、４３、を上方向から挿し出し可能にしている。尚、縁部に爪を設ける場合においては、各々第一収納部３ａ´及び第二収納部３ｂ´の面から、パッケージシート２９、４３、の厚みより若干膨らみをもたせて装着する。
【００２９】
したがって、このような仕組みを施すことより図６のケースボックス３００は、パッケージシート２９、４３、及び表面、タイトル面、裏面、のパッケージシート４６が、挿し出し可能になり、例えば、旧作のケース仕様から新作のケース仕様に変容できるようになった。尚、前期のとおり本ケースボックスは、ソフト入りケースを挿入するボックスとして想定している。ソフト購入者、またはレンタルのユーザーは、ソフト入りケースを取り出す形を取るため、ケースボックス自体は店舗の陳列棚に残る。ゆえに、パッケージシートを差し替えることが可能ならば、当該ソフトケースを入れるケースボックスとしての役目を終えたとしても、ケースボックス自体は外観を変えそのまま使用できる。
【００３０】
そして、図６において２つの挿入口があるケースボックス３００から、図８においての３つの挿入口のあるケースボックス３００ａに変容できる仕組みについて説明する。まず、図６の見開きの形状を閉じた形状にする。前出のとおり、この状態下では、図９の補助収納部３ｃの大きさが、収納部３ａ´と収納部３ｂ´の間に生まれる。そこで、補助収納部３ｃにおいて、引っ掛け具５４，５３、が収納部３ａ´においての挿入口１２´の上面部にかけて引っ掛け、同時に引っ掛け具５５，５６、を収納部３ｂ´においての挿入口２８´の上面部にかけて引っ掛ける。(尚、引っ掛け具は、必ずしも補助収納部３ｃに接着しなくてもよい。鎹のように引っ掛け具を両収納部３ａ´３ｂ´と収納部３ｃとの、各々上面部の間に装着して留めてもよい。)結果、図９においての補助収納部３ｃが、図６においての両サイドの収納部３ａ´３ｂ´の間に係止して、図８の収納口がある３つあるケースボックス３００ａが創出した。
【００３１】
尚、本考案は、主としてケースボックス、及びソフトケースの改良である。が、前記でもことわりを入れたが、ソフトケースに関しては、ほとんど触れられていない。そこでここでは、相違点を説明する。図示省略したが、本考案ソフトケースの改良において、ケースボックスの相違点は、上面部に開口が授けられているかいなかの違いである。もちろん、本考案のソフトケースにおいては、一般のソフトケースと同様開口していない。だが、この開口が塞がった形状では、ソフトを収容するスペースが無く、ソフトケースとしての機能を果たせない。そこで、新たにソフトを収容するスペースを作る。まず、図１において、ふた部３´の内面が自由に取り外しできるようにする。そして、ソフトが収容できる位のスペースを授ける。そして、そこにソフトを収容する。したがって、ソフトケースとしての機能を果たせることになる。
【００３２】
説明は以上であるが、本考案の主である開閉の技術は、映画などのアーティスティックな作品のケースボックス、またはソフトケースに使用することに意義がある。アーティストである製作者が、ケース内部に自身の世界を描ける空間が創出し、その上映画内容の波及効果も相まって、ケースボックス及びソフトケース自体がアート作品になるのであるから。
【図面の簡単な説明】
【００３３】
【図１】パッケージデザイン展示用のケースボックス(見開きの形状、及び新たに創出した内面)
【図２】同ケースボックス(形状図１の反対面)
【図３】同ケースボックス(閉じた形状、及び一般に置かれた状態)
【図４】同ケースボックス(棚に入れた時の状態)
【図５】ケースボックスの他の実施形態１(見開きの形状、及び内面)
【図６】ケースボックスの他の実施形態２(見開きの形状、及び内面)
【図７】ケースボックスの他の実施形態２(弓なりにした形状、及び図６においてのケースボックス３００の反対面)
【図８】実施形態２を変容した形状(収納口が３つある形状)
【図９】補助収納部
【図１０】従来のケースボックスの展開状態を示す斜視図(パッケージ面を全面に向けた状態)
【図１１】従来のケースボックスの展示状態を示す斜視図(内面を全面に向けた状態)
【図１２】ＤＶＤソフトのサイズにフィットしたソフト入り薄型ケース
【図１３】従来の、ソフトケースボックスと貸し出し専用ケースの相関関係を示した斜視図
【符号の説明】
【００３４】
１  一般的なレンタル店で使用している、当該ソフトの入った貸し出し専用ソフトケース
１ａ  ＤＶＤソフトを収納している、貸し出し専用ソフトケース
２  磁石１
３  収納部(または、ふた部)
３ａ  ケースボックス１００，２００の第一収納部
３ｂ  ケースボックス２００の第二収納部
３ａ´  ケースボックス３００の第一収納部
３ｂ´  ケースボックス３００の第二収納部
３´  ふた部
３ｃ  補助収納部
４  磁石２
５  パッケージデザイン１
６  創出したパッケージが施せる、及び見ることができる面１。
７  パッケージデザイン２
８  創出したパッケージが施せる、及び見ることができる面２。
９  磁石３
１０  磁石４
１１  収納部３ａとふた部３´を装着した接続面
１２  ケースボックス１００、及びケースボックス２００のソフトケースなどの挿入口
１２´  ケースボックス３００のソフトケースなどの挿入口１
１３  パッケージデザイン３
１４  表面、またはパッケージデザインを施せる面３
１５  タイトル面、またはパッケージデザインを施せる面４
１６  主にタイトル名
１７  パッケージデザイン４
１８  裏面、またはパッケージデザインを施せる面５
１９  第一収納部３ａとふた部３´の結合線
２１  陳列棚
２２  当該ソフト入り薄型ケース１
２３  当該ソフト入り薄型ケース２
２４  磁石５
２５  磁石６
２６  プロモーション入り薄型ケース１
２７  プロモーション入り薄型ケース２
２８  ケースボックス２００のソフトケースなどの挿入口２
２８´  ケースボックス３００のソフトケースなどの挿入口２
２９  パッケージデザインを印刷したシート１
３０  透明なＬ型の爪１
３１  閉じた形状にするための突起１
３２  透明なＬ型の爪２
３３  閉じた形状にするための突起２
３４  透明なＬ型の爪３
３５  透明なＬ型の爪４
３６  透明なＬ型の爪５
３７  透明なＬ型の爪６
３８  透明なＬ型の爪７
３９  透明なＬ型の爪８
４０  閉じた形状にするための、中心が空洞の凹部１
４１  閉じた形状にするための、中心が空洞の凹部２
４２  透明なＬ型の爪９
４３  パッケージデザインを印刷したシート２
４４  透明なＬ型の爪１０
４５  収納部３ａ´及び収納部３ｂ´を連接する面
４６  表面、タイトル面、裏面のデザインを印刷したパッケージシート
４７  ケースボックス３００の本体
４８  接着する始点１
４９  接着の終点１
５０  表面、タイトル面、裏面のサイズにほぼ合致した透明な素材
５１  接着の終点２
５２  接着する始点２
５３  取り外し可能なＵ型の止め具１
５４  取り外し可能なＵ型の止め具２
５５  取り外し可能なＵ型の止め具３
５６  取り外し可能なＵ型の止め具４
５７  収納部３ｃの挿入口、及びケースボックス３００ａの挿入口
５８  パッケージデザイン面ａ
５９  パッケージデザイン面ｂ
６０  パッケージデザイン面ｃ(タイトル面)
６１  右面
６２  棚部にあたる左側突起
６３  棚部にあたる左側突起の上面
６４  棚部にあたる右側突起
６５  棚部にあたる右側突起の上面
６６  左面
６７  横幅が狭いタイトル面
６８  ＤＶＤソフト
６９  従来のＤＶＤソフトケースボックスの挿入口
１００  ケースボックス
２００  ケースボックスの他の実施形態１
３００  ケースボックスの他の実施形態２
３００ａ  他の実施形態２の変容形状
４００  一般のケースボックス
５００  薄型ソフトケース
【図１】
0003122250.tif 000003
【図２】
0003122250.tif 000004
【図３】
0003122250.tif 000005
【図４】
0003122250.tif 000006
【図５】
0003122250.tif 000007
【図６】
0003122250.tif 000008
【図７】
0003122250.tif 000009
【図８】
0003122250.tif 000010
【図９】
0003122250.tif 000011
【図１０】
0003122250.tif 000012
【図１１】
0003122250.tif 000013
【図１２】
0003122250.tif 000014
【図１３】
0003122250.tif 000015